【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  圧縮されたオーディオ／ビデオ信号を処理する受像機内の信号処理装置であって、
前記圧縮されたオーディオ／ビデオ信号を供給する検出器と、
前記圧縮されたオーディオ／ビデオ信号に応答し、復元されたオーディオ信号を供給するオーディオ復元装置と、
前記圧縮されたオーディオ／ビデオ信号に応答し、復元されたビデオ信号を供給するビデオ復元装置と、
復元されたオーディオ信号と復元されたビデオ信号に備えられたタイム・スタンプに応答し、関連する復元されたオーディオ信号と復元されたビデオ信号の非同期の尺度である誤差信号を発生する誤差検出器と、
前記誤差信号の第１の範囲の値に応答し、前記オーディオ復元装置を制御し、復元されたオーディオ信号のセグメントを飛ばしあるいは繰り返して関連する復元されたオーディオ成分とビデオ成分を同期させ、前記第１の範囲よりも大きい誤差信号に応答し、関連する復元されたオーディオ成分とビデオ成分の同期を防止する処理装置と、から成る前記受像機内の信号処理装置。
【請求項２】  前記処理装置が、前記第１の範囲よりも大きい前記誤差信号の持続期間を計るタイミング回路を含み、且つ
前記第１の範囲よりも大きい前記誤差信号の持続期間が所定の期間を超えたときにのみ、前記処理装置が、関連する復元されたオーディオ成分とビデオ成分の同期を防止する、請求項１記載の信号処理装置。
【請求項３】  前記誤差信号に応答し、前記誤差信号の所定の範囲の値について、復元されたオーディオ信号をミュートするミューティング回路を更に含む、請求項１記載の信号処理装置。
【請求項４】  前記ミューティング装置が、
前記誤差信号に応答し、前記誤差信号が前記所定の閾値よりも大きいときおよび前記所定の閾値よりも小さいときそれぞれ第１および第２の状態を呈する制御信号を発生する閾値検出器と、
前記制御信号に応答し、前記制御信号が前記第２の状態を呈すると前記復元されたオーディオ信号を通過させ、前記制御信号が前記第１の状態を呈すると前記復元されたオーディオ信号の代替値を供給する信号クランプ手段と、から成る請求項３記載の信号処理装置。
【請求項５】  前記圧縮されたオーディオ／ビデオ信号に応答し、前記圧縮されたオーディオ／ビデオ信号の発生に使用されるエンコーダ・システム・クロック信号と所定の関係を有するシステム・クロック信号を発生し、且つ検出器を備えて、前記システム・クロック信号の非同期の尺度である別の誤差信号を供給する同期回路と、
前記別の誤差信号に応答し、前記別の誤差信号が別の所定の閾値よりも大きいときおよびそれよりも小さいときそれぞれ第１および第２の状態を呈する制御信号を発生する別の閾値検出器と、
前記閾値検出器と前記別の閾値検出器からの前記制御信号を合成するオア回路と、を更に含む請求項４記載の信号処理装置。
【請求項６】  前記誤差検出器がリップ同期検出器である、請求項１記載の信号処理装置。
【請求項７】  前記オーディオ／ビデオ信号のオーディオ成分とビデオ成分がそれぞれ、所定の時間に定められ且つエンコーダ・システム・クロックと関連づけられるタイム・スタンプＰＴＳａｕｄとＰＴＳｖｉｄを含んでおり、且つ前記オーディオ復元装置とビデオ復元装置が、前記タイム・スタンプＰＴＳａｕｄとＰＴＳｖｉｄを関連する復元されたオーディオ信号とビデオ信号に与え、且つ前記誤差検出器が、
局部クロック信号源と、
対応するタイム・スタンプＰＴＳａｕｄとＰＴＳｖｉｄの発生する時間的間隔Ｔを、前記局部クロック信号の周期で、測定する手段と、
対応するタイム・スタンプＰＴＳａｕｄとＰＴＳｖｉｄの値の差を計算し、この差と前記時間的間隔Ｔを比較し、Ａ／Ｖ同期誤差信号を発生する手段とを含んでいる、請求項１記載の信号処理装置。
【請求項８】  前記オーディオ／ビデオ信号のオーディオ成分とビデオ成分がそれぞれ、所定の時間に定められ且つエンコーダ・システム・クロックと関連づけられるタイム・スタンプＰＴＳａｕｄとＰＴＳｖｉｄを含んでおり、且つ前記オーディオ復元装置とビデオ復元装置が、関連する復元されたオーディオ信号とビデオ信号に前記タイム・スタンプＰＴＳａｕｄとＰＴＳｖｉｄを与え、且つ前記検出手段が、関連する復元されたオーディオ信号とビデオ信号に対し前記ＰＴＳａｕｄとＰＴＳｖｉｄ間の差の関数として前記誤差信号を発生する、請求項１記載の信号処理装置。
【請求項９】  圧縮されたオーディオ／ビデオ信号の受信機においてオーディオ成分とビデオ成分を同期させる方法であって、
復元されたオーディオ信号とビデオ信号の非同期のタイミングを示す値を決定するステップと、
前記値が所定の時間よりも小さければ、前記復元されたオーディオ信号とビデオ信号の同期を行い、同期しまたは一部同期した復元されたオーディオおよびビデオ出力信号を供給するステップと、
もし前記値が前記所定の時間よりも大きければ、前記復元されたオーディオおよびビデオ信号の同期プロセスを防止／中止し、非同期の復元されたオーディオおよびビデオ出力信号を供給するステップと、から成る前記方法。
【請求項１０】  前記値が前記所定の時間よりも大きい期間を決定するステップと、
前記期間が所定の期間よりも長い場合に限り、前記復元されたオーディオ信号とビデオ信号の同期を一時中止するステップと、を更に含む、請求項９記載の方法。
【請求項１１】  前記タイミングを示す値と或る範囲の値とを比較するステップと、
前記値が別の所定の時間よりも大きく且つ前記受信機が同期を行っているならば、前記オーディオ信号をミュートするステップと、を更に含む、請求項９記載の方法。
【手続補正２】
【補正対象書類名】明細書
【補正対象項目名】００１６
【補正方法】変更
【補正の内容】
【００１６】
レート・バッファ２０６からの圧縮されたビデオデータはビデオ復元装置２１４に送られる。レート・バッファ２０６は、突発的すなわち変動的な割合で圧縮ビデオデータを受け取り、要求あり次第、データをビデオ復元装置２１４に供給する。ビデオ復元装置２１４は、圧縮されたビデオ信号に応答して、圧縮されていないビデオ信号を発生し、適当な表示装置あるいは記憶装置（図示せず）に、表示されあるいは貯えられるようにする。
【手続補正３】
【補正対象書類名】明細書
【補正対象項目名】００１７
【補正方法】変更
【補正の内容】
【００１７】
逆トランスポート処理装置２０２からの圧縮されたオーディオデータはレート・バッファ２０６に供給される。バッファ２０６は、圧縮されたオーディオ信号を、システム・プロトコルに従って、オーディオ復元装置２１２に供給する。復元装置２１２は、圧縮されたオーディオ信号に応答して、圧縮されていないオーディオ信号を発生し、適当なスピーカあるいは記憶装置（図示せず）で、再生しあるいは記憶する。
【手続補正４】
【補正対象書類名】明細書
【補正対象項目名】００２４
【補正方法】変更
【補正の内容】
【００２４】
ＶＣＸＯ３７から発生されるシステム・クロック信号は、少なくともトランスポート処理装置とレート・バッファを動作させるのに利用される。この信号はエンコーダのシステム・クロックと少なくとも周波数が同期しているので、レート・バッファのオーバフローまたはアンダフローの可能性はほとんど存在しない。
【手続補正５】
【補正対象書類名】明細書
【補正対象項目名】００２５
【補正方法】変更
【補正の内容】
【００２５】
再び図２に関して、オーディオおよびビデオの同期を説明する。プレゼンテーション・タイム・スタンプＰＴＳｖｉｄは、予め定められたビデオデータに関連する圧縮されたビデオ信号の中に含まれていることを思い起こされたい。ＰＴＳｖｉｄは、関連するビデオが表示される相対的時間を示す。同様に、圧縮されたオーディオ信号は、それぞれのＰＴＳａｕｄに関連する時に再生されるオーディオに関連するプレゼンテーション・タイム・スタンプＰＴＳａｕｄを含んでいる。受信機においてＰＴＳａｕｄとＰＴＳｖｉｄは、オーディオとビデオの同期を得る目的で直接比較されない。何故ならば、それぞれのサンプルは異なる瞬間に決定されるからである。それぞれのＰＴＳ値は、ＶＣＸＯ３７から発生される受信機クロックである、連続的時間軸と比較される。これを行うには、局部タイム・スタンプを捕捉するために、システム・クロックにより発生される局部計数値ＬＣＲをサンプリングする。
【手続補正６】
【補正対象書類名】明細書
【補正対象項目名】００３３
【補正方法】変更
【補正の内容】
【００３３】
誤差信号の大きさを検査して、誤差信号がオーディオ・デコーダ内の遅延蓄積メモリのサイズに依存する所定の最大値よりも大きいかどうかを確かめる（ステップ４２０）。もし誤差が所定の最大値よりも大きければ、この状態がどのくらい長く存在していたかを確かめるために、ステップ４２１でチェックされる。それが所定の、選択可能な、時間（Ｎ秒）より長ければ、同期プロセスは一時中止される（ステップ４２２）。もしこの状態の存在していた時間がＮ秒以下であれば、ステップ４０６で同期は継続する。飛ばしと繰返しの機能は、オーディオ・メモリに対して異なる反応をするので、Ｎ秒の閾値は誤差信号の正と負の値について異なる。
【手続補正７】
【補正対象書類名】明細書
【補正対象項目名】００４０
【補正方法】変更
【補正の内容】
【００４０】
復元されたオーディオ信号はＤＡ変換器２２７に結合される。ＤＡ変換器２２７からのアナログ出力信号は、抵抗２２８を介して別のアナログ処理回路（図示せず）に結合される。ミューティング・トランジスタ２２９の導通路は、抵抗２２８と大地電位の間に結合される。トランジスタ２２９の制御電極は、閾値検出器２２５の出力結線に結合される。１Ｖbeより大きい正の制御電圧により、トランジスタ２２９はＤＡ変換器２２７からのオーディオ出力信号を大地電位にクランプし、それによってオーディオ信号をミューティングする。